(57)【要約】  互いに交差する上下方向と左右方向と前後方向を有し、前側胴回り部（２０）と、後側胴回り部（３０）と、を有し、前記前側胴回り部（２０）又は前記後側胴回り部（３０）の少なくとも一方は、前記左右方向に伸縮する弾性部材（２５、３５）と、前記前後方向に貫通した孔部（５０）を備えた吸収性物品（１）であって、前記前側胴回り部（２０）及び前記後側胴回り部（３０）のうち、前記左右方向の収縮力が小さい方の一方側胴回り部（３０）は、前記左右方向の収縮力が大きい方の他方側胴回り部（２０）よりも前記孔部（５０）を多く備えている。
2019073568.tif 000002
【特許請求の範囲】
【請求項１】
互いに交差する上下方向と左右方向と前後方向を有し、
前側胴回り部と、
後側胴回り部と、を有し、
前記前側胴回り部又は前記後側胴回り部の少なくとも一方は、前記左右方向に伸縮する弾性部材と、前記前後方向に貫通した孔部を備えた吸収性物品であって、
前記前側胴回り部及び前記後側胴回り部のうち、前記左右方向の収縮力が小さい方の一方側胴回り部は、前記左右方向の収縮力が大きい方の他方側胴回り部よりも前記孔部を多く備えていることを特徴とする吸収性物品。
【請求項２】
請求項１に記載の吸収性物品において、
前記前側胴回り部及び前記後側胴回り部は、それぞれ前記孔部を備えることを特徴とする吸収性物品。
【請求項３】
請求項１又は２に記載の吸収性物品において、
前記一方側胴回り部は、前記後側胴回り部であることを特徴とする吸収性物品。
【請求項４】
請求項３に記載の吸収性物品において、
前記後側胴回り部のうち、前記前側胴回り部と前記前後方向に重ねられていない非重なり領域に、少なくとも１つの前記孔部を備えることを特徴とする吸収性物品。
【請求項５】
請求項４に記載の吸収性物品において、
前記後側胴回り部は、前記前側胴回り部と前記前後方向に重ねられている重なり領域を備えており、
前記非重なり領域における最も下側に位置する第１下端弾性部材と、前記第１下端弾性部材に上側から隣接する前記弾性部材との間隔が、
前記重なり領域における最も下側に位置する第２下端弾性部材と、前記第２下端弾性部材に上側から隣接する前記弾性部材との間隔よりも大きいことを特徴とする吸収性物品。
【請求項６】
請求項４又は５に記載の吸収性物品において、
前記後側胴回り部は、前記前側胴回り部と前記前後方向に重ねられている重なり領域を備えており、
前記非重なり領域における最も下側に位置する第１下端弾性部材の張力は、前記重なり領域における最も下側に位置する第２下端弾性部材の張力よりも小さいことを特徴とする吸収性物品。
【請求項７】
請求項１又は２に記載の吸収性物品において、
前記一方側胴回り部は、前記前側胴回り部であることを特徴とする吸収性物品。
【請求項８】
請求項１から７に記載の吸収性物品において、
吸収体を有しており、
前記上下方向において、前記一方側胴回り部と前記吸収体が重なる領域の長さは、前記他方側胴回り部と前記吸収体が重なる領域の長さよりも長いことを特徴とする吸収性物品。
【請求項９】
請求項１から８に記載の吸収性物品において、
吸収体を有しており、
前記一方側胴回り部のうちの、前記上下方向において前記吸収体と重なる領域における前記孔部の数は、前記一方側胴回り部のうちの、前記上下方向において前記吸収体と重なっていない領域における前記孔部の数よりも多いことを特徴とする吸収性物品。
【請求項１０】
請求項９に記載の吸収性物品において、
前記一方側胴回り部のうちの、前記上下方向において前記吸収体と重なる領域に前記孔部を設け、前記一方側胴回り部のうちの、前記上下方向において前記吸収体と重なっていない領域に前記孔部を設けないことを特徴とする吸収性物品。
【請求項１１】
請求項１から１０のいずれか１項に記載の吸収性物品において、
前記前側胴回り部と前記後側胴回り部の前記左右方向の両端部は、それぞれ接合されており、
自然状態において、前記前側胴回り部及び前記後側胴回り部が、前記一方側胴回り部側に凸形状であることを特徴とする吸収性物品。
【発明の詳細な説明】
【技術分野】
【０００１】
本発明は、吸収性物品に関する。
【背景技術】
【０００２】
従来、尿などの排泄物を吸収する吸収性物品として使い捨ておむつ等が知られている。例えば、文献１には、厚み方向に貫通した複数のスリット８を形成することで、オープン型の使い捨ておむつ１内及びパンツ型の使い捨ておむつ３０内の蒸れを防止することが記載されている。
【先行技術文献】
【特許文献】
【０００３】
【特許文献１】特開２００２−６５７３１号
【発明の概要】
【発明が解決しようとする課題】
【０００４】
しかしながら、文献１に示す使い捨ておむつ１、３０の自然状態においては、胴回り弾性部材７の収縮によって、使い捨ておむつ１、３０の着用者や着用させようとする者が、スリット８を視認することができない恐れがあり、通気性の良さを外観から認識することができない場合があった。【０００５】
本発明は、上記のような従来の問題に鑑みてなされたものであって、その目的は、吸収性物品の着用者や着用させようとする者に、吸収性物品の貫通孔を視認させやすくして、通気性の良さを認識させやすくすることにある。
【課題を解決するための手段】
【０００６】
上記目的を達成するための主たる発明は、互いに交差する上下方向と左右方向と前後方向を有し、前側胴回り部と、後側胴回り部と、を有し、前記前側胴回り部又は前記後側胴回り部の少なくとも一方は、前記左右方向に伸縮する弾性部材と、前記前後方向に貫通した孔部を備えた吸収性物品であって、前記前側胴回り部及び前記後側胴回り部のうち、前記左右方向の収縮力が小さい方の一方側胴回り部は、前記左右方向の収縮力が大きい方の他方側胴回り部よりも前記孔部を多く備えていることを特徴とする吸収性物品である。
本発明の他の特徴については、本明細書及び添付図面の記載により明らかにする。
【発明の効果】
【０００７】
本発明によれば、弾性部材の収縮によって形成された皺によって貫通孔が見えなくなってしまう恐れを軽減させることができるため、自然状態の吸収性物品の貫通孔を視認しやすくなり、通気性の良さを実感させやすくすることができる。
【図面の簡単な説明】
【０００８】
【図１】図１Ａは、本実施形態の吸収性物品の一例としての自然状態のおむつ１を前側から見た概略正面図である。図１Ｂは、自然状態のおむつ１を後側から見た概略背面図である。
【図２】図２は、展開した伸長状態のおむつ１を肌側から見た平面図である。
【図３】図３は、図２中のIII−III断面図である。
【図４】図４は、図２中のIV−IV断面図である。
【図５】図５Ａは、図１Ａ中の前側胴回り部２０のＶａ−Ｖａ断面の模式図である。図５Ｂは、図１Ｂ中の後側胴回り部３０のＶｂ−Ｖｂ断面の模式図である。
【図６】図６は、おむつ１を左右方向の一端部側から見た概略側面図である。
【図７】図７は、他の実施形態の展開した伸長状態のおむつ１を肌側から見た平面図である。
【発明を実施するための形態】
【０００９】
本明細書及び添付図面の記載により、少なくとも以下の事項が明らかとなる。  
互いに交差する上下方向と左右方向と前後方向を有し、前側胴回り部と、後側胴回り部と、を有し、前記前側胴回り部又は前記後側胴回り部の少なくとも一方は、前記左右方向に伸縮する弾性部材と、前記前後方向に貫通した孔部を備えた吸収性物品であって、前記前側胴回り部及び前記後側胴回り部のうち、前記左右方向の収縮力が小さい方の一方側胴回り部は、前記左右方向の収縮力が大きい方の他方側胴回り部よりも前記孔部を多く備えていることを特徴とする吸収性物品である。
【００１０】
このような吸収性物品によれば、弾性部材の収縮によって形成された皺によって貫通孔が見えなくなってしまう恐れを軽減させることができるため、自然状態の吸収性物品の貫通孔を視認しやすくなり、通気性の良さを実感させやすくすることができる。
【００１１】
かかる吸収性物品において、前記前側胴回り部及び前記後側胴回り部は、それぞれ前記孔部を備えることが望ましい。
【００１２】
このような吸収性物品によれば、腹側と背側の両方の通気性を向上させることができる。
【００１３】
かかる吸収性物品において、前記一方側胴回り部は、前記後側胴回り部であることが望ましい。
【００１４】
このような吸収性物品によれば、孔部がより多く設けられた後側胴回り部を見分けやすくなる。
【００１５】
かかる吸収性物品において、前記後側胴回り部のうち、前記前側胴回り部と前記前後方向に重ねられていない非重なり領域に、少なくとも１つの前記孔部を備えることが望ましい。
【００１６】
このような吸収性物品によれば、吸収性物品を前側から見た場合にも、後側胴回り部に備えられた孔部を視認することができるため、通気性の良さを視認により実感することができる。
【００１７】
かかる吸収性物品において、前記後側胴回り部は、前記前側胴回り部と前記前後方向に重ねられている重なり領域を備えており、前記非重なり領域における最も下側に位置する第１下端弾性部材と、前記第１下端弾性部材に上側から隣接する前記弾性部材との間隔が、前記重なり領域における最も下側に位置する第２下端弾性部材と、前記第２下端弾性部材に上側から隣接する前記弾性部材との間隔よりも大きいことが望ましい。
【００１８】
このような吸収性物品によれば、非重なり領域の収縮力をより小さくすることができるため、非重なり領域の孔部が皺で覆われてしまう恐れを軽減し、吸収性物品を前側から見た場合にも、後側胴回り部の孔部を視認しやすくすることができる。
【００１９】
かかる吸収性物品において、前記後側胴回り部は、前記前側胴回り部と前記前後方向に重ねられている重なり領域を備えており、前記非重なり領域における最も下側に位置する第１下端弾性部材の張力は、前記重なり領域における最も下側に位置する第２下端弾性部材の張力よりも小さいことが望ましい。
【００２０】
このような吸収性物品によれば、非重なり領域の収縮力をより小さくすることができるため、非重なり領域の孔部が皺で覆われてしまう恐れを軽減し、吸収性物品を前側から見た場合にも、後側胴回り部の孔部を視認しやすくすることができる。
【００２１】
かかる吸収性物品において、前記一方側胴回り部は、前記前側胴回り部であることが望ましい。
【００２２】
このような吸収性物品によれば、孔部がより多く設けられた前側胴回り部を見分けやすくなる。
【００２３】
かかる吸収性物品において、吸収体を有しており、前記上下方向において、前記一方側胴回り部と前記吸収体が重なる領域の長さは、前記他方側胴回り部と前記吸収体が重なる領域の長さよりも長いことが望ましい。
【００２４】
このような吸収性物品によれば、比較的に剛性が高い吸収体と上下方向において重なる領域に設けられた孔部は、開孔した状態を維持しやすいため、一方側胴回り部の孔部をより視認しやすくすることができる。
【００２５】
かかる吸収性物品において、吸収体を有しており、前記一方側胴回り部のうちの、前記上下方向において前記吸収体と重なる領域における前記孔部の数は、前記一方側胴回り部のうちの、前記上下方向において前記吸収体と重なっていない領域における前記孔部の数よりも多いことが望ましい。
【００２６】
このような吸収性物品によれば、比較的に剛性が高い吸収体と重なる領域に設けられた孔部は、開孔した状態を維持しやすいため、通気性の良さを視認しやすくすることができる。
【００２７】
かかる吸収性物品において、前記一方側胴回り部のうちの、前記上下方向において前記吸収体と重なる領域に前記孔部を設け、前記一方側胴回り部のうちの、前記上下方向において前記吸収体と重なっていない領域に前記孔部を設けないことが望ましい。
【００２８】
このような吸収性物品によれば、比較的に剛性が高い吸収体と重なる領域に設けられた孔部は、開孔した状態を維持しやすいため、通気性の良さをより視認しやすくすることができる。
【００２９】
かかる吸収性物品において、前記前側胴回り部と前記後側胴回り部の前記左右方向の両端部は、それぞれ接合されており、自然状態において、前記前側胴回り部及び前記後側胴回り部が、前記一方側胴回り部側に凸形状であることが望ましい。
【００３０】
このような吸収性物品によれば、一方側胴回り部に備えられた孔部をより視認しやすくなる。
【００３１】
＝＝＝本実施形態に係る使い捨ておむつについて＝＝＝
＜＜＜使い捨ておむつ１の構成について＞＞＞
図１Ａは、本実施形態の吸収性物品の一例としての自然状態のおむつ１を前側から見た概略正面図である。図１Ｂは、自然状態のおむつ１を後側から見た概略背面図である。図２は、展開した伸長状態のおむつ１を肌側から見た平面図である。図３は、図２中のIII−III断面図である。図４は、図２中のIV−IV断面図である。
【００３２】
以下の説明では、図１の状態（自然状態）のおむつ１は、「上下方向」を有し、おむつ１の上下方向の胴回り開口部ＢＨ側を「上側」、股下側を「下側」という。また、おむつ１は、上下方向と交差する「左右方向」と、上下方向及び左右方向と交差する「前後方向」を有し、前後方向の前側を「腹側」、後側を「背側」ともいう。さらに、前後方向を「厚さ方向」ともいい、着用者に接触する側を「肌側」、その反対側を「非肌側」ともいう。また、図２の状態（展開状態及び伸長状態）でのおむつ１の長手方向を「長手方向」、長手方向の一方側を「腹側」、他方側を「背側」ともいい、長手方向の一方側の端部及び他方側の端部をそれぞれ「上側」、長手方向における略中央部Ｃ１０側を「下側」ともいう。図２等におけるＣ−Ｃは、左右方向中心を示している。
【００３３】
なお、おむつ１の「自然状態」とは、以下のように定義される。まず、製品として梱包されているおむつ１をパッケージから取り出した後、前側胴回り部２０及び後側胴回り部３０を左右方向の両外側に引っ張り、前側胴回り部２０及び後側胴回り部３０がそれぞれ各部材単体の寸法と一致又はそれに近い長さになるまで伸長させる。この伸長させた状態を１５秒継続させた後、おむつ１の伸長させた状態を解除して机等の平面に置く。そして、この平面に置いた状態で５分間経過させた状態がおむつ１の自然状態である。「展開状態」とは、前側胴回り部２０の側端部２０ａと後側胴回り部３０の側端部３０ａとの接合をそれぞれ分離し、開いておむつ１全体を平面的に展開した状態である。「伸長状態」とは、おむつ１（前側胴回り部２０及び後側胴回り部３０）を皺がなくなるまで伸長させた状態をいい、具体的には、おむつ１を構成する部材（前側胴回り部２０や後側胴回り部３０）の寸法がその部材単体の寸法と一致又はそれに近い長さになるまで伸長された状態をいう。
【００３４】
本実施形態にかかる使い捨ておむつ１（以下、「おむつ１」と呼ぶ。）は、主に乳幼児を着用対象とした所謂３ピースタイプのパンツ型おむつであり、着用者の股間に配置される吸収性本体１０と、着用者の腹側を覆う前側胴回り部２０と、背側を覆う後側胴回り部３０を有する。前側胴回り部２０と後側胴回り部３０は、それぞれ「胴回り部」ともいう。
【００３５】
図２に示すように、展開状態のおむつ１は、前側胴回り部２０と後側胴回り部３０とが長手方向に間隔を空けて平行に並んだ状態で、これら胴回り部２０、３０同士の間に吸収性本体１０が架け渡されて、吸収性本体１０の縦方向の端部と各胴回り部２０、３０がそれぞれ接着剤等により接合固定されて、平面視略Ｈ形状となっている。そして、略Ｈ形状の展開状態から、長手方向の略中央部Ｃ１０を折り位置として吸収性本体１０を二つ折りするとともに、二つ折り状態で、互いに対向する前側胴回り部２０と後側胴回り部３０の左右方向の両端部、つまり、前側胴回り部２０の側端部（「端部」ともいう。）２０ａと後側胴回り部３０の側端部３０ａ（「端部」ともいう。）を溶着等で接合すると、前側胴回り部２０と後側胴回り部３０が環状に繋がって、図１Ａ及び図１Ｂに示すような胴回り開口ＢＨ及び一対の脚回り開口ＬＨ、ＬＨが設けられたパンツ型のおむつ１となる。
【００３６】
図２、図３及び図４に示すように、吸収性本体１０は、平面視略長方形状を有し、吸収性本体１０の長手方向は、上下方向に沿うように配置されている。また、吸収性本体１０は、吸収体１１と、吸収体１１を肌側から覆うトップシート１３と、吸収体１１を非肌側から覆う外装シート１４、バックシート１５とを備える。
【００３７】
吸収体１１は、尿等の排泄物を吸収することができる液体吸収性の吸収性コア１１ｃと、吸収性コア１１ｃの外周面を被覆するティッシュペーパー等の液透過性のコアラップシート１１ｒを有する。吸収性コア１１ｃは、所定の液体吸収性素材を所定形状の一例である平面視略砂時計形状に成形した成形体である。液体吸収性素材としては、パルプ繊維等の液体吸収性繊維や、高吸収性ポリマー（所謂ＳＡＰ）等の液体吸収性粒状物を例示できる。
【００３８】
トップシート１３は、吸収体１１から上下方向及び左右方向に突出する平面サイズの不織布等の液透過性のシートである。また、バックシート１５は、吸収体１１から上下方向及び左右方向に突出する平面サイズのシートであり、液不透過性の防漏シートである。バックシート１５に非肌側には、不織布の外装シート１４が設けられている。吸収性本体１０の吸収体１１よりも左右方向の両外側にそれぞれ上下方向に伸縮するレッグギャザー（不図示）を設けてもよい。また、吸収性本体１０の左右方向の外側から排泄物が漏れてしまう恐れを軽減させるために、吸収性本体１０の左右方向の端部に防漏壁部としての立体ギャザー（不図示）を設けてもよい。
【００３９】
図３に示すように、前側胴回り部２０は、厚さ方向の肌側から順に肌側シート２１及び非肌側シート２２が重ねられて接合されており、後側胴回り部３０は、厚さ方向の肌側から順に肌側シート３１及び非肌側シート３２が重ねられて接合されている。肌側シート２１、非肌側シート２２、及び肌側シート３１、非肌側シート３２は、いずれもスパンボンドやＳＭＳ（スパンボンド／メルトブローン／スパンボンド）等の不織布からなる平面視略矩形のシート部材からなる。本実施形態においては、肌側シート２１、３１にはＳＭＳ不織布を用いており、非肌側シート２２、３２には、スパンボンド不織布を用いている。スパンボンド不織布は、ポリプロピレン（ＰＰ）やポリエチレン（ＰＥ）等の熱可塑性樹脂の単独繊維や、ＰＰ及びＰＥの鞘芯構造等の複合繊維からなるものであってもよい。
【００４０】
肌側シート２１と非肌側シート２２、及び肌側シート３１と非肌側シート３２は、ホットメルト等の接着剤でそれぞれ接合されて前側胴回り部２０、及び後側胴回り部３０が形成されている。
【００４１】
図３に示すように、前側胴回り部２０の上側の端部は、肌触りの向上と耐久性向上のために、前側胴回り部２０の上端である前側上端２０ｔを起点として、非肌側シート２２が肌側の下方へ折り返されて、折り返し部分２２ｆを形成している。同様に、後側胴回り部３０の上部も、後側胴回り部３０の上端である後側上端３０ｔを起点として、非肌側シート３２が肌側の下方へ折り返されて、折り返し部分３２ｆを形成している。
【００４２】
また、前側胴回り部２０は、折り返し部分２２ｆの下端部から吸収性本体１０の腹側の上端部までを肌側から覆うように配置したシート部材２４を備えている。同様に、後側胴回り部３０は、折り返し部分３２ｆの下端部から吸収性本体１０の背側の上端部までを肌側から覆うように配置したシート部材３４を備えている。シート部材２４、３４は、不織布等からなる矩形状のシート部材である。このシート部材２４、３４によって、吸収性本体１０の上下方向の端部が着用者の肌と直接接触することを抑制することができ、着用時における胴回りの肌触りを良好なものにすることができる。また、シート部材２４、３４は、前側胴回り部２０及び後側胴回り部３０の上下方向の上側端部の強度を高めることができる。
【００４３】
さらに、前側胴回り部２０及び後側胴回り部３０は、肌側から非肌側に貫通する略円形状の孔部５０が、上下方向及び左右方向に所定の間隔で複数設けられている。孔部５０の詳細については、後述する。
【００４４】
前側胴回り部２０の肌側シート２１と非肌側シート２２の間には、左右方向に沿った糸ゴム等の複数の弾性部材２５、２５・・・が配置されている。弾性部材２５は、左右方向に伸長された状態で、肌側シート２１及び非肌側シート２２に、接着剤等により接合固定されている。複数の弾性部材２５、２５・・・は、上下方向に間隔を空けながら、並んで配置されている。
【００４５】
同様に、後側胴回り部３０の肌側シート３１と非肌側シート３２の間には、左右方向に沿った糸ゴム等の複数の弾性部材３５、３５・・・が配置されている。弾性部材３５は、左右方向に伸長された状態で、肌側シート３１及び非肌側シート３２に、接着剤等により接合固定されている。複数の弾性部材３５、３５・・・は、上下方向に間隔を空けながら、並んで配置されている。
【００４６】
弾性部材２５、３５は、前側胴回り部２０及び後側胴回り部３０に対して左右方向の伸縮性を付与し、前側胴回り部２０及び後側胴回り部３０に複数の皺を形成させている。前側胴回り部２０及び後側胴回り部３０に形成された皺の多くは、各シート２１、２２、３１、３２を左右方向に縮めて、上下方向に沿った形状となる。
【００４７】
なお、弾性部材２５、３５のうち、左右方向の中央部付近の吸収体１１と重複する領域を非連続として、伸縮力が作用しないようにしている。これにより、吸収体１１に作用する左右方向の収縮が抑制されて、吸収体１１を略平坦に維持しやすくなるため、排泄物の漏れ等を抑制することができる。
【００４８】
＜＜＜孔部５０について＞＞＞
以下、孔部５０について説明する。前側胴回り部２０及び後側胴回り部３０に設けられた複数の孔部５０は、それぞれ肌側シート２１、３１及び非肌側シート２２、３２を貫通しており、おむつ１の着用時において、肌側から非肌側への通気性を向上させる。前側胴回り部２０及び後側胴回り部３０の孔部５０は、それぞれ略円形状で、略同じ大きさである。図２に示すように、前側胴回り部２０には、左右において吸収性本体１０より外側、且つ、上下方向において吸収体１１と重なる領域１１ｆで、上下方向に隣接する弾性部材２５の間に、複数の孔部５０がそれぞれ千鳥状に配置されている。後側胴回り部３０には、左右方向において吸収性本体１０より外側、且つ、上下方向において吸収体１１と重なる領域１１ｄで、上下方向に隣接する弾性部材３５の間に複数の孔部５０がそれぞれ千鳥状に配置されている。このとき、各孔部５０は、弾性部材２５、３５を切断せず、弾性部材２５、３５は、孔部５０によって非連続とはされていないことが好ましい。おむつ１において、領域１１ｆと領域１１ｄの上下方向の長さは、略同じである。
【００４９】
左右方向の収縮力の小さい方の胴回り部（一方側胴回り部）の方が、左右方向の収縮力が大きい方の胴回り部（他方側胴回り部）よりもより多くの孔部５０を備えている。本実施形態においては、左右方向の収縮力の小さい方の後側胴回り部（一方側胴回り部）３０の方が、左右方向の収縮力の大きい方の前側胴回り部（他方側胴回り部）２０よりも多くの孔部５０を備えている。
【００５０】
以下、おむつ１の孔部５０の構成について具体的に説明する。「収縮力」とは、自然状態において、前側胴回り部２０又は後側胴回り部３０の収縮状態を維持する力である。より詳しく言うと、おむつ１を左右方向の任意の位置で前側胴回り部２０又は後側胴回り部３０をそれぞれ右半分と左半分とに分断した場合に、右半分と左半分との間で相互に作用する力が収縮力である。この収縮力が大きいほど自然状態でより収縮された状態となり、発生する皺の数も多くなる。
【００５１】
前側胴回り部２０と後側胴回り部３０の伸長状態における長さが同じ場合、どちらの胴回り部の収縮力が大きいかを判定するには、自然状態においてより縮んだ方が収縮力が大きい方の胴回り部であると判定すればよい。具体的には、図１Ａ及び図１Ｂに示すパンツ型の状態のおむつ１の前側胴回り部２０の側端部２０ａと後側胴回り部３０の側端部３０ａの接合を分離し、前側胴回り部２０及び後側胴回り部３０をそれぞれ左右方向の両外側に引っ張り、前側胴回り部２０及び後側胴回り部３０がそれぞれ各部材単体の寸法と一致又はそれに近い長さになるまで伸長させる。この伸長させた状態を１５秒間継続させた後、伸長させた状態を解除して机等の平面におき、この平面においた状態で５分間経過させた状態で、前側胴回り部２０と後側胴回り部３０のどちらがより縮んでいるかを判定する。本実施形態のおむつ１においては、前側胴回り部２０の方が後胴回り部３０よりもより縮んだことから、前側胴回り部２０の方が後側胴回り部３０よりも収縮力が大きく、後側胴回り部３０の方が前側胴回り部２０よりも収縮力が小さい。そのため、前側胴回り部２０よりも後側胴回り部３０の方により多くの孔部５０を設けている。なお、後側胴回り部３０を「一方側胴回り部」ともいい、前側胴回り部２０を「他方側胴回り部」ともいう。
【００５２】
なお、テープ型の使い捨ておむつについての収縮力の大きさの比較は、前側胴回り部又は後側胴回り部のいずれか一方にのみ弾性部材を備えている場合には、当然ながら弾性部材を備えている胴回り部の方が、収縮力が大きいと判定することができる。
また、「収縮力が大きい方の胴回り部」は、「伸長状態の左右方向の長さと自然状態の左右方向の長さの差」を、「伸長状態の左右方向の長さ」で除した値が小さい方の胴回り部であると言うこともできる。
【００５３】
図５Ａは、図１Ａ中の前側胴回り部２０のＶａ−Ｖａ断面の模式図、図５Ｂは、図１Ｂ中の後側胴回り部３０のＶｂ−Ｖｂ断面の模式図である。図５Ａ及び図５Ｂにおいて、肌側シート２１と非肌側シート２２、及び肌側シート３１と非肌側シート３２は、それぞれ一体化して示しており、その断面を左斜め下のハッチング領域で示している。図５Ａにおける図１Ａ中の前側胴回り部２０のＶａ−Ｖａ断面と図５Ｂにおける図１Ｂ中の後側胴回り部３０のＶｂ−Ｖｂ断面は、左右方向の長さがほぼ同じ領域（単位領域）を示している。
【００５４】
図５Ａ及び図５Ｂに示すように、弾性部材２５及び弾性部材３５が左右方向に収縮することによって、前側胴回り部２０及び後側胴回り部３０はそれぞれ左右方向に収縮する。これによって、前側胴回り部２０及び後側胴回り部３０は、それぞれ厚さ方向に起伏した複数の皺が形成される。このとき、収縮力の大きさがより大きい前側胴回り部２０の単位領域当たりの皺の数が、収縮力の大きさがより小さい後側胴回り部３０の単位領域当たりの皺の数よりも多い。そのため、図５Ａに示すように、単位領域当たりの孔部５０の数が多い場合であっても、多くの皺が形成されることで、皺によって隠されてしまう孔部５０が存在し、前側胴回り部２０を非肌側から見た場合に視認することができる孔部５０の数が少なくなってしまう。また、前側胴回り部２０自体を左右方向に縮めることに伴い、孔部５０も左右方向に縮められてしまい、孔部５０を視認しづらくなってしまう。一方、図５Ｂに示すように、単位領域当たりの孔部５０の数が少ない場合であっても、皺がより少ない後胴回り部３０を非肌側から見た場合には、皺によって孔部５０が隠されてしまう恐れが減少するため、収縮力のより小さい後側胴回り部３０の方が皺によって孔部５０が隠される恐れが少なくなる。また、前側胴回り部２０の左右方向への収縮に比べて後側胴回り部３０の左右方向への収縮が小さくなるため、後側胴回り部材３０は、前側胴回り部２０の孔部５０の左右方向への縮みよりもより少ない縮み度合いとなるため、より孔部５０を視認しやすくなる。
【００５５】
従来、使い捨ておむつの通気性を向上させるために貫通孔を形成していたが、着用する前など、自然状態においては、前側胴回り部２０及び後側胴回り部３０が左右方向に縮められて、生じた複数の皺によって孔部５０が視認しづらくなってしまったり、孔部５０が左右方向に縮められてしまって孔部５０を視認しづらくなってしまい、通気性を向上させていることを外観から認識させられない場合があった。また、孔部５０を視認することができるように非常に多くの孔部５０を前側胴回り部２０及び後胴回り部３０に設けると、着用しようとする際等に、孔部５０が裂けてしまったりして、前側胴回り部２０及び後側胴回り部３０が破損してしまう恐れがあった。
【００５６】
この点、おむつ１においては、左右方向への収縮が大きいことでより多くの皺が形成され、孔部５０が左右方向に縮められてしまう恐れがある前側胴回り部２０よりも、皺の形成を軽減させ、孔部５０が左右方向に縮められてしまう恐れを軽減させた後側胴回り部３０により多くの孔部５０を設けた。これにより、前側胴回り部２０及び後側胴回り部３０が破損してしまう等の不具合を抑止しつつ孔部５０を効果的に配置し、おむつ１の着用者やおむつ１を着用させようとする保護者等が、パッケージからおむつ１を取り出したりしたとき等やおむつ１の自然状態において、おむつ１の孔部５０を視認しやすくなり、おむつ１の通気性が向上していることを外観から認識しやすくすることができる。
【００５７】
おむつ１は、後側胴回り部３０により多くの孔部５０を設けているため、おむつ１を着用しようとする際に前後を判断しやすくなっている。また、後胴回り部３０の通気性を向上させることで、仰向けに寝ている乳幼児等の背中の汗による蒸れを解消しやすくすることができる。
【００５８】
また、パンツ型のおむつ１は、前側胴回り部２０と後側胴回り部３０の収縮力が異なることによって、前側胴回り部２０の側又は後側胴回り部３０の側に凸形状を設けやすい。図６は、おむつ１を左右方向の一端部側から見た概略側面図である。図６には、自然状態のおむつ１を示しているが、パッケージから取り出した状態のおむつ１も同様である。自然状態のおむつ１は、収縮力がより大きい前側胴回り部２０の側がより縮められるため、収縮力がより小さい後側胴回り部３０の側に凸となるような形状となる。このとき、収縮力の小さい後側胴回り部３０により多くの孔部５０を設けると、後側胴回り部３０は、前側胴回り部２０の弾性部材２５の収縮によって引っ張られて、後側胴回り部３０が広げられた状態となり、自然状態のおむつ１の孔部５０をより視認しやすくなる。
【００５９】
さらに、後側胴回り部３０において、上下方向において吸収体１１と重なる領域１１ｄにおける孔部５０の数が、上下方向において吸収体１１と重ならない領域、つまり領域１１ｄより上側の領域における孔部５０の数よりも多いことが好ましい。吸収体１１は、他の部材に比べて比較的に剛性が高いため、吸収体１１と上下方向において重なる領域１１ｄに孔部５０をより多く設けることで、孔部５０を開孔した状態に維持しやすくなり、外観から通気性の良さを認識させやすくすることができる。
【００６０】
また、孔部５０は、上下方向において吸収性本体１０と重なる領域に設けることが好ましい。吸収性本体１０よりも上側に孔部５０を設けると、着用時等に着用者や着用させようとする者がおむつ１の上部を掴んで引き上げると、孔部５０が上下方向に裂けてしまう恐れがあるところ、吸収性本体１０と上下方向において重なる領域に孔部５０を設けることで、吸収性本体１０の剛性により孔部５０が裂けてしまう恐れを軽減させることができる。
【００６１】
さらに、図１Ａ及び図１Ｂに示すように、後側胴回り部３０のうち、前側胴回り部２０と前後方向に重ねられていない非重なり領域３０ｘに、少なくとも１以上の孔部５０を備えることが好ましい。非重なり領域３０ｘは、着用時において、着用者の臀部を覆う領域である。図１Ｂに示すように、おむつ１を後側から見た場合に、非重なり領域３０ｘに設けた複数の孔部５０を視認できるだけでなく、図１Ａに示すように、おむつ１を前側から見た場合に、非重なり領域３０ｘに設けた孔部５０を視認することができる。これにより、前後どちらからおむつ１を見ても孔部５０を視認することができるため、外観から通気性の良さを認識させやすくすることができる。
【００６２】
図２に示す展開且つ伸長状態においては、非重なり領域３０ｘは、後側胴回り部３０の下部であり、湾曲した端を有する領域である。非重なり領域３０ｘにおける最も下側に位置する弾性部材３５ａ（第１弾性部材）と、弾性部材３５ａに上側から隣接する弾性部材３５ｂとの間隔Ｌｘが、後側胴回り部３０のうち前側胴回り部２０と重ねられた領域における最も下側に位置する弾性部材３５ｃ（第２弾性部材）と、弾性部材３５ｃに上側から隣接する弾性部材３５ｄとの間隔Ｌｙよりも大きいことが好ましい（Ｌｘ＞Ｌｙ）。このように弾性部材３５を配置することで、非重なり領域３０ｘの収縮力をより小さくして、非重なり領域３０ｘに形成される皺の数を減らすことができる。これによって、非重なり領域３０ｘにおいて、孔部５０が皺で覆われてしまう恐れを軽減し、おむつ１を前側及び後側のどちらから見ても、非重なり領域３０ｘの孔部５０を視認しやすくすることができる。
【００６３】
また、非重なり領域３０ｘにおける最も下側に位置する弾性部材３５ａの張力が、後側胴回り部３０のうち前側胴回り部２０と重ねられた領域における最も下側に位置する弾性部材３５ｃの張力よりも小さいことがより好ましい。これによって、非重なり領域３０ｘの収縮力をより小さくして、非重なり領域３０ｘに形成される皺の数を減らし、非重なり領域３０ｘにおいて、孔部５０が皺で覆われてしまう恐れを軽減し、おむつ１を前側及び後側のどちらから見ても、非重なり領域３０ｘの孔部を視認しやすくすることができる。
【００６４】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。例えば、以下に示すような変形が可能である。
【００６５】
上述の実施形態においては、前側胴回り部２０及び後側胴回り部３０に、それぞれ孔部５０を形成したが、これに限られない。前側胴回り部２０又は後側胴回り部３０のいずれかのみに孔部５０を形成したものでもよい。ただし、前側胴回り部２０と後側胴回り部３０の両方に孔部５０形成することによって、おむつ１の通気性をより向上させることができる。
【００６６】
また、上述の実施形態においては、より収縮力の小さい後側胴回り部３０に孔部５０をより多く設けたが、これに限られない。後側胴回り部３０よりも前側胴回り部２０の収縮力を小さくし、後側胴回り部３０よりも前側胴回り部２０の孔部５０を多く設けてもよい。これによって、パッケージから取り出した状態等の自然状態におけるおむつ１の前側胴回り部２０に設けられた孔部５０を視認しやすくなり、おむつ１の前後をより見分けやすくさせることができる。また、前側胴回り部２０により多くの孔部５０を設けることで、うつ伏せ寝の状態の乳幼児や、排泄した尿による湿気をより解放しやすくすることができる。
【００６７】
さらに、上述の実施形態においては、前側胴回り部２０と吸収体１１が重なる領域１１ｆの上下方向の長さと、後側胴回り部３０と吸収体１１が重なる領域１１ｄの上下方向の長さを略同じとしたが、これに限られない。図７は、他の実施形態の展開した伸長状態のおむつ１を肌側から見た平面図である。図７に示すように、より収縮力が小さい後側胴回り部３０と吸収体１１とが重なる領域１１ｄの上下方向の長さを、より収縮力が大きい前側胴回り部２０と吸収体が重なる領域１１ｆの上下方向の長さよりも長くすることで（１１ｄ＞１１ｆ）、他の部分よりも比較的に剛性が高い吸収体１１と上下方向において重なる領域に設けられた孔部５０は、開孔した形状の状態を維持しやすくなる。これにより、後側胴回り部３０の孔部５０を外観からより視認しやすくすることができる。
【００６８】
また、図７に示すように、後側胴回り部３０において、上下方向において吸収体１１と重なる領域１１ｄに孔部５０を設け、上下方向において吸収体１１と重ならない領域、つまり領域１１ｄよりも上側には孔部５０を設けないことにしてもよい。このようにすることで、比較的に剛性が高い吸収体１１と上下方向で重なる領域１１ｄに設けられた孔部５０は、開孔した状態をより維持しやすくなり、通気性の良さを外観からより視認しやすくすることができる。
【００６９】
上述の実施形態においては、前側胴回り部２０及び後側胴回り部３０に、円形状の孔部５０を設けたがが、これに限られない。例えば、矩形や楕円、星形等任意の形状の貫通孔を設けても良い。さらに、前側胴回り部２０と後側胴回り部３０とで、異なる形状の孔部５０を設けても良いし、異なる大きさの孔部５０を設けてもよい。
【００７０】
上記実施の形態に係るおむつ１は、乳幼児を着用対象としたが、これに限定されるものではなく、大人を着用対象としてもよい。また、上述の実施形態においては、吸収性物品の一例として所謂３ピースタイプの使い捨ておむつ１を例示したが、何らこれに限られない。例えば、前側胴回り部２０と後側胴回り部３０を一体として形成した所謂２ピースタイプの使い捨ておむつや、テープ式の使い捨ておむつでもよい。
【符号の説明】
【００７１】
１  おむつ（吸収性物品）、
１０  吸収性本体、１１  吸収体、
１１ｃ  吸収性コア、１１ｒ  コアラップシート、
１１ｆ  領域、１１ｄ  領域、
１３  トップシート、１４  外装シート、１５  バックシート、
２０  前側胴回り部（胴回り部、他方側胴回り部）、
２０ａ  側端部（端部）、２０ｔ  前側上端、
２１  肌側シート、２２  非肌側シート、２２ｆ  折り返し部分、
２４  シート部材、２５  弾性部材、
３０  後側胴回り部（胴回り部、一方側胴回り部）、
３０ａ  側端部（端部）、３０ｔ  後側上端、３０ｘ  非重なり領域、
３１  肌側シート、３２  非肌側シート、３２ｆ  折り返し部分、
３４  シート部材、３５  弾性部材、
３５ａ  弾性部材（第１弾性部材）、３５ｂ  弾性部材、
３５ｃ  弾性部材（第２弾性部材）、３５ｄ  弾性部材、
５０  孔部、
ＢＨ  胴回り開口部、ＨＬ  脚回り開口部
【図１】
2019073568.tif 000003
【図２】
2019073568.tif 000004
【図３】
2019073568.tif 000005
【図４】
2019073568.tif 000006
【図５】
2019073568.tif 000007
【図６】
2019073568.tif 000008
【図７】
2019073568.tif 000009
【国際調査報告】
2019073568.tif 000010
2019073568.tif 000011
2019073568.tif 000012
2019073568.tif 000013